【事件の表示】
　上記当事者間の登録第１４６３５１１号商標の登録取消審判事件について、次のとおり審決する。
【結　論】
　本件審判の請求は、成り立たない。
　審判費用は、請求人の負担とする。
【理　由】
１　本件商標
　本件登録第１４６３５１１号商標（以下「本件商標」という。）は、「ＣＯＮＣＥＰＴ」の欧文字を横書きしてなり、昭和５０年６月２０日に登録出願され、第１１類「電気機械器具、その他本類に属する商品」を指定商品として同５６年５月３０日に設定登録され、その後、３回にわたる商標権の存続期間の更新登録のほか、指定商品の書換登録がなされ、現在、第７類ないし第１１類及び第２１類に属する商標登録原簿記載の商品を指定商品（第１１類は「電球類及び照明用器具，家庭用電熱用品類」である。）とするものである。
　なお、本件審判請求の登録は、平成２４年２月１３日にされている。
　
２　請求人の主張
　請求人は、商標法５０条第１項の規定により、本件商標の指定商品中、第１１類「電球類及び照明用器具」についての登録を取り消す、審判費用は被請求人の負担とする、との審決を求め、その理由及び答弁に対する弁駁並びに口頭審理陳述要領書を要旨次のように述べ、証拠方法として、甲第１号証ないし甲第４号証を提出している。
（１）請求の理由
　本件商標は、本件審判請求に係る指定商品について、継続して３年以上日本国内において、商標権者、専用使用権者又は通常使用権者のいずれも使用した事実が存在しないから、商標法第５０条第１項の規定により取り消されるべきである。
（２）答弁に対する弁駁（第二弁駁含む）
　ア　本件商標の使用者について
　被請求人は、本件商標は、通常使用権者である「上新電機株式会社」（以下「上新電機」という。）により使用されている旨、述べているが、上新電機が通常使用権者であることの証拠は一切提出されていない。そして、両者には、資本関係が無いものと思われる（甲２ないし甲４）ため、被請求人は上新電機に黙示の通常使用権を与えたとも考えられない。
　そのほか、非請求人は、商標権者（被請求人）及び専用使用権者による使用も証明していない。
　また、被請求人は、平成２４年８月２２日付け提出の口頭審理陳述要領書において、上新電機と被請求人との間で交わされた２００１年１０月２１日付けの乙第９号証の「商標使用許諾契約書」（以下「契約書」という。）及び乙第１０号証及び乙第１１号証の当該契約延長の「覚書」を提出しているが、請求人の平成２４年８月２９日付け提出の口頭審理陳述要領書（以下の（３））に詳述したとおり、上新電機が本件商標権の通常使用権を有していないことは明らかである。
　以上より、被請求人は、商標権者、専用使用権者又は通常使用権者による本件審判対象商品についての本件商標の使用を証明していない。
　イ　使用商標について
　（ア）使用各商標の構成
　乙第１号証ないし乙第７号証（但し乙４を除く）に各々記載されている欧文字「ｃｏｎｃｅｐ」の後に配された縦線・横線の組み合わせ（以下「本件ロゴ」という。）は、極度にデザイン化されており、もはや欧文字「ｔ」は把握・認識できない。
　（イ）本件商標と各使用商標との比較
　本件商標と本件ロゴの外観については、それぞれ前記したとおりの構成であることから、両商標の外観は、異なること明らかである。
　称呼については、本件商標「ＣＯＮＣＥＰＴ」からは、「コンセプト」の称呼が生じるのに対し、本件ロゴからは、「ｃｏｎｃｅｐ」に対応して「コンセプ」の称呼が生じるから、両商標は称呼において異なる。
　観念については、本件商標からは「観念」（審決注：「概念」の記載ミスと思われる。）の意味が生じるが、本件ロゴから意味は生じないため、両商標は、観念において異なる。
　以上より、本件商標と本件ロゴは社会通念上同一とは認められないから、これらの乙各号証によっては、本件商標の使用は証明されない。
　ウ　使用時期（審判請求登録前３年間の使用か否か）について
　被請求人提出の証拠中には、乙第６号証及び乙第７号証を除き、本件審判請求の登録前３年以内（以下「要証期間内」という。）に使用されたことを証明できないものが多数含まれている。
　乙第６号証及び乙第７号証は、上新電機が発行した製品カタログであるが、前記アで述べたとおり、被請求人は、上新電機が通常使用権者であることを証明する証拠を一切提出していないので、同人が、通常使用権を有するとは認められない。
　したがって、乙第６号証及び乙第７号証は、商標権者、専用使用権者又は通常使用権者によって使用されたことの証拠とはならない。
　エ　まとめ
　以上を総合すると、被請求人の提出した証拠によっては、本件商標が、要証期間内に、商標権者、専用使用権者又は通常使用権者によって使用されていることの証明はなされていない。
（３）口頭審理における陳述
　ア　被請求人提出の契約書（乙９）及び契約延長の覚書(乙１０及び乙１１)の各々の原本を確認し、当該書証の成立は認めるものの、その作成日については疑問がある。
　イ　契約書（乙９）及び契約延長の覚書(乙１０及び乙１１)が実在していたのであれば、何故、最初の答弁書提出時提出しなかったのか、疑問を抱かざるを得ない。
　ウ　仮に契約書が真正であったとしても、契約書は、以下の理由により本件商標権に効力は及ばないため、上新電機は、本件商標権の通常使用権者ではない。
　被請求人提出の契約書は被請求人が別途所有する商標登録第２５１９１７８号商標権（商標：「ＣＯＮＣＥＰＴ」及び「コンセプト」の上下二段書き構成（以下「二段書き商標」という。））に係るものであって、本件商標権に係るものではないから、契約書の効力が、本件商標権に及ばないのは当然である。
　被請求人は、本件商標は、二段書き商標の一部を構成する「ＣＯＮＣＥＰＴ」の文字よりなるものであるから、契約上、「ＣＯＮＣＥＰＴ」のみの使用も当然予想され、かつ認められる以上、当該「ＣＯＮＣＥＰＴ」を構成する本件商標についても黙示的に使用許諾がなされたとみて差し支えない旨、及び指定商品についても、本件商標の指定商品は二段書き商標の指定商品に包含されている旨、述べている。
　しかしながら、契約書に記載されていない権利は当然に契約の対象外である。たとえ、「ＣＯＮＣＥＰＴ」の文字を共通の構成要素としたとしても、二段書き商標の権利と本件商標権とは全く別の権利である。
　したがって、本件商標権についても黙示的に使用許諾がなされたとみなしても差し支えない、という被請求人の主張は合理的根拠を欠く。
　エ　被請求人は、本件商標権についても黙示の通常使用権が認められる旨述べているが、被請求人と上新電機の間の契約書には、本件商標権のことは述べられておらず、むしろ、「通常使用許諾契約」（乙１２及び乙１３）の延長に係る書類では、上新電機が被請求人の所有する二段書き商標の権利について期間延長をしてもらいたい旨記載されているのみであり、本件商標権には言及していない。
　上新電機が本件商標権の存在を知らないのであれば、本件商標権の使用も求める申込の黙示の意思表示をする可能性はなく、申込の意思表示がなければ承諾の意思表示もあり得ない。
　したがって、本件では、黙示であっても、通常使用権に係る契約が成立する余地は全く認められない。
　オ　そもそも、契約書自体も以下の理由で無効である。
　（ア）契約書（乙９）の第１条（使用許諾）の使用商標に記載されているのは、欧文字「ＴＨＥ　ＣＯＮＣＥＰＴ」であるのに対し、通常使用権を許諾しようとする商標権は欧文字「ＣＯＮＣＥＰＴ」とカタカナ「コンセプト」を二段併記した二段書き商標の権利であり、両者は異なっている。
　通常使用権は、「その商標権について」許諾され（商標法第３１条第１項）、商標権の範囲は願書に記載した商標及び指定商品・指定役務の範囲を基礎として定められる(商標法第２７条)。したがって、願書に記載した商標と異なるものは商標権の範囲外であり、商標権の範囲外について、商標権者は通常使用権を許諾できない。
　また、登録商標の使用を専有する権利（商標法第２５条）と類似関係にある範囲（禁止権）については、商標権者はこの範囲を積極的に使用する権利はない。自らが積極的に使用できない範囲に他人に積極的使用を許諾できないことは自明である。
　したがって、契約書において「通常使用権を許諾することに関し、以下の通り契約を締結する。」と記載されているが、この契約はそもそも、被請求人（商標権者）の権限を越えた範囲に権利を生じさせることを目的としたものであり、法律上無効であり、無効な契約に基づき、有効な通常使用権が発生することはあり得ない。
　したがって、上新電機は二段書き商標の権利についてさえ、通常使用権を有していない。
　（イ）同契約書の法律的意義は、上新電機が本件商標を使用することに対し、被請求人が商標権侵害の責めを問わないことを約束しただけである、と解釈でき、この効力は、二段書き商標の権利に及ぶに過ぎず、他の権利である本件商標権には及ばない。
　カ　以上より、被請求人提出の証拠から上新電機は本件商標権の通常使用権者でないことは明らかである。
　
３　被請求人の主張
　被請求人は、結論同旨の審決を求め、その理由を要旨次のように述べ、証拠方法として、乙第１号証ないし乙第１９号証（枝番号を含む。）を提出している。
（１）答弁の理由（第二答弁含む）
　本件商標は、通常使用権者である上新電機により、指定商品中、第１１類「電球類及び照明器具」について、当該家電シリーズを構成する各種照明器具において要証期間内を含め、継続して３年以上、現在に至るまで使用されている。
　乙第７号証は、本件登録商標を使用する製品の、要証期間内である２０１２年１月発行の製品カタログであり、各種照明器具は、１６頁に掲載されている。
　要証期間内の２０１２年１月発行の製品カタログであることは、裏表紙の右下に「２０１２．１」と記載されていることから確認できる。
　そしてその表紙右上には、本件ロゴが記載されている。
　２頁目には、「Ｊｏｓｈｉｎオリジナルひとり暮らし家電『ｃｏｎｃｅｐｔ』シリーズ」と記載されており、上記『ｃｏｎｃｅｐｔ』が本件審判請求に係る「照明用器具」について、使用されている商標であることは明らかである。
　また、同頁に「Ｊｏｓｈｉｎオリジナルブランド『ｃｏｎｃｅｐｔ』。」と記載されており、「ｃｏｎｃｅｐｔ」が通常使用権者である上新電機のオリジナルブランド（商標）であることが示されている。
　さらに、同頁中央にひときわ目立つ大きさで「ｃｏｎｃｅｐｔ」の文字が記載され、その上段にやや小さく「Ｍｙ　Ｆｉｒｓｔ　Ｃｈｏｉｃｅ，」の英語が記載されているところ、上段の英語は、「ｃｏｎｃｅｐｔ」の修飾語と理解できることから、「ｃｏｎｃｅｐｔ」の文字が商標として機能し使用されているといえる。
　また、１５頁には、「Ｊｏｓｈｉｎオリジナルひとり暮らし家電」「ｃｏｎｃｅｐｔシリーズ」の見出しで、「調理器具」「洗濯機」が掲載され、１６頁には、「クリーナー」、「アイロン」「照明器具」、等の家電製品が掲載されている。そうすると、「ｃｏｎｃｅｐｔシリーズ」のうち、「シリーズ」の文字は、「シリーズもの」を表す自他商品識別力を有しない部分であるから、「ｃｏｎｃｅｐｔ」の文字が商標として機能を果たす部分であり、よって、本件商標と社会通念上同一の商標が「照明用器具」に使用されていたといえる。
　以上のとおり、被請求人の提出した乙第７号証により、本件商標と社会通念上同一の商標が、要証期間内に、本件商標の通常使用権者である上新電機によって、請求にかかる指定商品中「電球類及び照明器具」に含まれる「照明用器具」について、使用されていたことは明らかである。
（２）口頭審理における陳述
　ア　乙第９号証の契約書（商標使用許諾契約書）、乙第１０号証及び乙第１１号証の覚書の原本を提示。
　イ　上記契約書（乙９）及び覚書（乙１０及び乙１１）を第一回目の答弁書提出の際に提出しなかった理由は、提出義務がないからである。
　ウ　提出した契約書（乙９）によれば、被請求人が上新電機に対し、二段書き商標の権利について、通常使用権を許諾することが明示され、その内容も第１条において、（ａ）使用期間を５年とすること、また、（ｂ）使用商品に「家電・情報機器」が明記されているから、本件取消請求に係る指定商品「電球類及び照明用器具」が含まれることは明らかである。
　さらに、その後、２００６年９月２６日付けの第一回「覚書」（乙１０）、及び２０１１年５月２７日付けの第二回「覚書」（乙１１）によって、それぞれ５年間契約延長することが同意されているから、今日に至るまで継続して使用許諾契約が有効であることも明らかである。
　エ　ところで、当該契約書は、本件商標とは別の二段書き商標の権利についてのものであるが、本件商標は、二段書き商標の一部を構成する「ＣＯＮＣＥＰＴ」の文字よりなるものであるから、契約上、「ＣＯＮＣＥＰＴ」のみの使用も当然予測され、かつ認められる以上、当該「ＣＯＮＣＥＰＴ」を構成する本件商標についても黙示的に使用許諾がなされたとみても差し支えないものであり、また、指定商品についても、本件商標の指定商品は二段書き商標の指定商品に全て包含されている。
　オ　上記に加え、上新電機は、第一回及び第二回の各契約延長時に「ｃｏｎｃｅｐｔ」、「本件ロゴ」、「コンセプト」の各商標の使用状況を報告し、被請求人はこれらの使用を承諾した上で契約延長をしている（乙１２及び乙１３）。
　そして、上記「ｃｏｎｃｅｐｔ」商標の使用は、本件商標「ＣＯＮＣＥＰＴ」を小文字に変更したにすぎないものであるから、契約書において、本件商標が明記されていないとしても、本件商標の使用については黙示的に使用許諾をしていたということができるものである。
　カ　ところで、通常使用権の許諾は、明文の契約に限らず、口頭や黙示の契約によっても可能とされており、また通常使用権の登録を必要とするのでもない。このことは、判決及び審決（乙１４ないし乙１６）ほかにおいても示されている。
　したがって、通常使用権は黙示の契約によっても可能であることや、上新電機との間で交わされた契約書の内容、及びその後の二回にわたる契約延長時の使用状況報告とその承諾等を総合的に勘案すれば、被請求人は上新電機に対し、本件商標についても黙示的に使用許諾をしていたといえるものである。
　キ　以上のとおりであるから、２００１年１０月１２日以来、今日に至るまで、上新電機は本件商標権の通常使用権者であることは明らかである。
　
４　当審の判断
（１）被請求人の提出にかかる証拠によれば、以下の事実が認められる。
　ア　乙第７号証について
　これは、「新生活応援カタログ」と題した全２２頁よりなる家電製品のカタログであるところ、その表紙には、「ここから始まる、新しい暮らし。私が選ぶ『コンセプト』」の語が記載され、２頁の上段には、「Ｊｏｓｈｉｎオリジナルひとり暮らし家電『ｃｏｎｃｅｐｔ』シリーズ」、中段には、「私が選んだパートナー［コンセプト］」の語かそれぞれ記載されている。
　また、１５頁には、「Ｊｏｓｈｉｎオリジナルひとり暮らし家電」、「ｃｏｎｃｅｐｔシリーズ」の見出しで、「調理器具」及び「洗濯機」の文字が、１６頁には、「照明器具」等の文字が、それぞれの製品写真とともに広告掲載されている。
　そして、裏表紙の下方左には、スタンプで上新電機の社名が、住所（大阪市浪速区・・・）とともに押印され、その右側隅には、「２０１２．１」の文字が長方形枠内にそれぞれ記載されている。
　イ　乙第９号証について
　これは、被請求人と上新電機との間で締結された契約書（商標使用許諾契約書）の写しであるところ、そこには、被請求人が上新電気に対し、被請求人の所有する二段書き商標についての通常使用権を許諾することに関する以下の旨の内容（抜粋）が記載されている。
　第１条（使用許諾）
　「被請求人は、二段書き商標の商標権に関して、上新電機が、次の範囲で、これを使用することを認める」旨。
・使用商標「ＴＨＥ　ＣＯＮＣＥＰＴ」
・使用期間「本契約締結日より５年間とし、使用期間の延長その他については、別項第９条（有効期間）に定める規定に準ずる」旨。
　第３条（使用条件）
　「上新電機は、同人が使用する本件商標の書体及び態様について事前に被請求人に通知するものとし、これを変更しようとする場合も同様とする」旨。
　（ウ）第９条（有効期間）
　「期間満了の６ケ月前までに上新電機が、被請求人に対し期間の延長を求めた場合には、延長の可否およびその条件について両者協議する」旨。
　（エ）最後に「２００１年１０月１２日」の年月日、両者の記名捺印が認められる。
　ウ　乙第１０号証及び乙第１１号証について
  これらは、いずれも被請求人と上新電機との間で締結された契約書（乙９）の延長に関する覚書（２通）の写しであるところ、前者に関しては、２００６年１０月１２日から更に５年間、後者に関しては、その後の２０１１年１０月１２日から更に５年間（つまり、２０１６年１０月１１日迄）の延長に合意の旨が記載されている。
　そしてこれらの最後には、前者が２００６年９月２６日、後者が２０１１年５月２７日の年月日がそれぞれ記載されている。併せて、契約書同様、両者の記名捺印が認められる。
　エ　乙第１２号証及び乙第１３号証について
 これらは、いずれも上新電機から被請求人に宛てた二段書き商標の使用状況の報告と契約延長の通知の写しであるところ、そのうちの商標の使用状況の報告（いずれも２枚目以降）には、本件ロゴのほか、「シングルライフ向けオリジナル家電『ｃｏｎｃｅｐｔ（コンセプト）』」、「『ｃｏｎｃｅｐｔ（コンセプト）』のブランドコンセプト」及び「ｃｏｎｃｅｐｔ」なる文字が記載されている。
（２）以上に基づき、以下の点について検討する。
　ア　通常使用権者について
　（ア）乙第９号証（契約書）について
　当該契約書は、本件商標とは異なる別の二段書き商標の権利に関する被請求人と上新電機間の通常使用権に関する契約書であるうえ、その第１条の「使用商標」の欄には、本件商標である「ＣＯＮＣＥＰＴ」とは異なる「ＴＨＥ　ＣＯＮＣＥＰＴ」と記載されているものである。
　これよりすれば、請求人主張の如く、当該契約書の効力は、本件商標権に及ばないものであって、しかも使用商標として掲載されている「ＴＨＥ　ＣＯＮＣＥＰＴ」の商標も本件商標とは認め難い商標であることから、この限りにおいては、上新電機は本件商標権の通常使用権者であるとは、認めることができない。
　しかしながら、契約書第１条における使用商標と書されている「ＴＨＥ　ＣＯＮＣＥＰＴ」と、二段書き商標「ＣＯＮＣＥＰＴ／コンセプト」は、互いの要部である「ＣＯＮＣＥＰＴ」部分を共通にする商標であるうえ、第３条においては、上新電機が使用する商標の書体及び態様を変更使用することを念頭に置いた旨の契約内容であることがうかがえる。
　（イ）乙第１０号証ないし乙第１３号証（覚書及び契約延長願等）について
　乙第１０号証及び乙第１１号証の覚書によれば、被請求人及び上新電機の両者の同意の下、契約書（乙９）の有効期限を２０１６年１０月１１日迄、延長したことが認められる。
　そして、当該覚書（乙１０、乙１１）に先立ち、上新電機より被請求人宛になされた二段書き商標の使用状況の報告（乙１２及び乙１３）によれば、「ｃｏｎｃｅｐｔ（コンセプト）」及び「ｃｏｎｃｅｐｔ」なる文字が家電等の商標として使用していることが認められる。
　つまり、被請求人は、上新電機が、「ｃｏｎｃｅｐｔ（コンセプト）」及び「ｃｏｎｃｅｐｔ」なる商標を家電等に使用していることを認識した上で、契約延長を行っていることが認められる。
　（ウ）小括
　以上よりすれば、被請求人と上新電機間においては、本件商標権及び二段書き商標権の使用許諾に関し、互いに良好な関係にあったものであり、現在もその状況が継続しているものと認められるものであって、契約書（乙９）の意図するところは、二段書き商標を基本として、商標法第５０条第１項における「社会通念上同一の商標」の範囲（現実に社会通念上同一と認められるか否かは別にして）を意識し、その範囲内で契約書第３条における本件商標の変更使用を意図したものであると思われ、その意図が、第１条における使用商標が、本件商標と異なる「ＴＨＥ　ＣＯＮＣＥＰＴ」と記載しているものとみることもできる。
　加えて、乙第１０号証ないし乙第１３号証よりすれば、被請求人は、上新電機が、「ｃｏｎｃｅｐｔ（コンセプト）」及び「ｃｏｎｃｅｐｔ」なる商標を家電等に使用していることを認識した上で、契約延長を行っていることが認められる。　
　してみれば、契約書（乙９）における通常使用権者の対象である商標権は、本件商標権とは異なり、かつ契約書の第１条に記載の使用商標とされている商標も本件商標とは異なるとしても、乙第９号証ないし乙第１３号証を総合勘案すれば、上新電機は、被請求人より本件商標権について、黙示の使用許諾を受けた通常使用権者であるとみるのが相当である。
　ところで、被請求人は、口頭弁論において、乙第９号証ないし乙第１１号証の契約書及び覚書（２件）の原本を確認し、その書証の成立を認めるものの、作成日の真正については疑問がある旨陳述したが、提出された全証拠によっても、これを疑うに足る証拠は見あたらない。
　イ　本件商標の使用商標及び使用時期等について
　乙第７号証のカタログの表紙には、「ｃｏｎｃｅｐｔ」の文字が家電製品全般に商標として使用されており、また、１５頁及び１６頁には、「Ｊｏｓｈｉｎオリジナルひとり暮らし家電」、「ｃｏｎｃｅｐｔシリーズ」の文字とともに、「調理器具」や「洗濯機」（１５頁）のほか、「照明器具」等の文字（１６頁）が、天井用照明器具、電気スタンド等の写真とともに掲載されていること、前述したとおりである。
　ところで、「ｃｏｎｃｅｐｔシリーズ」の文字中の「シリーズ」部分は、「シリーズもの」を表す自他商品識別力を有しない部分であるから、「ｃｏｎｃｅｐｔ」の文字部分が商標として機能する部分である。
　したがって、同号証に掲載の「ｃｏｎｃｅｐｔ」なる商標は、本件商標「ＣＯＮＣＥＰＴ」との関係よりすれば、大文字と小文字の相互間の使用に過ぎず、本件商標と社会通念上同一の商標と認められることから、本件商標は、本件審判請求に係る第１１類「電球類及び照明用器具」に含まれる「照明用器具」について上記カタログに使用されていることが認められる。
　そして、同号証のカタログの裏表紙の各記載から、当該カタログは、２０１２年１月現在、つまり、本件審判請求の要証期間内（２００９年２月１３日〜２０１２年２月１２日）における大阪市在の上新電機のカタログであることが認められるものである。
（３）まとめ
　以上を総合すると、被請求人（商標権者）は、本件商標権の通常使用権者と認めうる上新電機が、要証期間内に日本国内において、本件審判請求に係る第１１類「電球類及び照明用器具」に含まれる「照明用器具」に本件商標を使用（当該使用行為は、商品に関する広告に標章を付して展示する行為であり、商標法第２条第３号第８号に該当する。）していたことを証明したものということができる。
　したがって、本件商標の指定商品中、請求に係る指定商品についての登録は、商標法第５０条第１項の規定に基づき、取り消すことができない。
　よって結論のとおり審決する。